(57)【要約】【課題】露光ヘッドで用いられる封止部材および発光素子基板の撓みの抑制を可能とする技術を提供する。【解決手段】発光素子が配設されたガラス製の発光素子基板と、発光素子基板の発光素子が配設された第１の面で発光素子を封止するガラス製の封止部材と、発光素子基板の逆側から封止部材を支持する剛性部材と、発光素子基板の第１の面に対して逆側の第２の面に配設された支持部材と、支持部材により発光素子基板の第２の面側に支持されるとともに、発光素子から光素子基板を透過した光が入射するレンズを有するレンズアレイと、を備え、支持部材は、発光素子基板および封止部材を剛性部材とで挟むようにして配設されている。【選択図】図９
2011037236.tif 000002
【特許請求の範囲】
【請求項１】
発光素子が配設されたガラス製の発光素子基板と、
前記発光素子基板の前記発光素子が配設された第１の面で前記発光素子を封止するガラス製の封止部材と、
前記発光素子基板の逆側から前記封止部材を支持する剛性部材と、
前記発光素子基板の前記第１の面に対して逆側の第２の面に配設された支持部材と、
前記支持部材により前記発光素子基板の前記第２の面側に支持されるとともに、前記発光素子から前記光素子基板を透過した光が入射するレンズを有するレンズアレイと、
を備え、
前記支持部材は、前記発光素子基板および前記封止部材を前記剛性部材とで挟むようにして配設されていることを特徴とする露光ヘッド。
【請求項２】
前記封止部材は、前記発光素子基板に接着剤で取り付けられている請求項１に記載の露光ヘッド。
【請求項３】
前記発光素子基板の幅は前記封止部材の幅よりも広く、前記発光素子基板の前記第１の面の端部は前記封止部材から突出している請求項１または２に記載の露光ヘッド。
【請求項４】
前記発光素子基板の前記第１の面の前記端部に配設されたフレキシブルプリント基板と、
前記発光素子基板と前記封止部材との間を抜けて、前記発光素子と前記フレキシブルプリント基板とを繋ぐ配線と、
を備えた請求項３に記載の露光ヘッド。
【請求項５】
前記剛性部材の基材と、前記支持部材の基材とが同じである請求項１ないし４のいずれか一項に記載の露光ヘッド。
【請求項６】
前記発光素子は有機ＥＬ素子である請求項１ないし５のいずれか一項に記載の露光ヘッド。
【請求項７】
発光素子が配設されたガラス製の発光素子基板、前記発光素子基板の前記発光素子が配設された第１の面で前記発光素子を封止するガラス製の封止部材、前記発光素子基板の逆側から前記封止部材を支持する剛性部材、前記発光素子基板の前記第１の面に対して逆側の第２の面に配設された支持部材、および前記支持部材により前記発光素子基板の前記第２の面側に支持されるとともに前記発光素子から前記光素子基板を透過した光が入射するレンズを有するレンズアレイを有する露光ヘッドと、
前記露光ヘッドの前記発光素子からの光により露光される潜像担持体と、
を備え、
前記支持部材は、前記発光素子基板および前記封止部材を前記剛性部材とで挟むようにして配設されていることを特徴とする画像形成装置。
【発明の詳細な説明】
【技術分野】
【０００１】
この発明は、発光素子を用いて露光を行なう露光ヘッドおよび該露光ヘッドを備えた画像形成装置に関する。
【背景技術】
【０００２】
特許文献１には、光透過性の発光素子基板（同文献の「ヘッド基板」）に発光素子を配設し、当該発光素子からの光をレンズを用いて被露光面に照射する露光ヘッド（同文献の「ラインヘッド」）が提案されている。また、同文献には、発光素子として有機ＥＬ（Electro-Luminescence）素子を用いることができる点が記載されている。このような発光素子（有機ＥＬ素子）としては、種々のものが提案されているが、その一例として特許文献２に記載の発光素子が挙げられる。この発光素子は、陽極、正孔輸送層、発光層および陰極をこの順番で積層した構成を有しており、陽極から正孔輸送層を経て注入された正孔と、陰極から注入された電子とを、発光層で結合させることで、光を射出する。
【０００３】
ちなみに、このように構成された発光素子は水分（湿気）によって劣化する。そこで、かかる発光素子を用いた特許文献１の露光ヘッドでは、封止部材が設けられている。この封止部材は、発光素子を覆うようにして当該発光素子が配設された発光素子基板の面に被さって、発光素子を外部の水分から遮断するものである。こうして、封止部材により発光素子の劣化が抑制されている。
【先行技術文献】
【特許文献】
【０００４】
【特許文献１】特開２００８−２５４４１８号公報
【特許文献２】特開２００６−２３６７４５号公報
【発明の概要】
【発明が解決しようとする課題】
【０００５】
ところで、上記封止部材および発光素子基板は、ガラスにより構成することができる。つまり、ガラスは比較的加工が容易であるため、これら封止部材および発光素子基板を高い形状精度で形成することが可能となる。ただし、封止部材および発光素子基板をガラスで形成することには、このような利点がある一方で、封止部材および発光素子基板の支持態様が適切でないと、封止部材および発光素子基板が自重あるいは外力により撓んでしまう場合があった。そして、これらの撓みが生じると、露光ヘッドの内部で発光素子の位置がずれてしまい、露光ヘッドが被露光面の所望の位置に光を照射できないおそれがあった。
【０００６】
この発明は上記課題に鑑みてなされたものであり、露光ヘッドで用いられる封止部材および発光素子基板の撓みの抑制を可能とする技術の提供を目的とする。
【課題を解決するための手段】
【０００７】
この発明にかかる露光ヘッドは、上記目的を達成するために、発光素子が配設されたガラス製の発光素子基板と、発光素子基板の発光素子が配設された第１の面で発光素子を封止するガラス製の封止部材と、発光素子基板の逆側から封止部材を支持する剛性部材と、発光素子基板の第１の面に対して逆側の第２の面に配設された支持部材と、支持部材により発光素子基板の第２の面側に支持されるとともに、発光素子から光素子基板を透過した光が入射するレンズを有するレンズアレイと、を備え、支持部材は、発光素子基板および封止部材を剛性部材とで挟むようにして配設されていることを特徴としている。
【０００８】
この発明にかかる画像形成装置は、上記目的を達成するために、発光素子が配設されたガラス製の発光素子基板、発光素子基板の発光素子が配設された第１の面で発光素子を封止するガラス製の封止部材、発光素子基板の逆側から封止部材を支持する剛性部材、発光素子基板の第１の面に対して逆側の第２の面に配設された支持部材、および支持部材により発光素子基板の第２の面側に支持されるとともに発光素子から光素子基板を透過した光が入射するレンズを有するレンズアレイを有する露光ヘッドと、露光ヘッドの発光素子からの光により露光される潜像担持体と、を備え、支持部材は、発光素子基板および封止部材を剛性部材とで挟むようにして配設されていることを特徴としている。
【０００９】
このように構成された発明（露光ヘッド、画像形成装置）では、発光素子が配設されたガラス製の発光素子基板と、発光素子基板の発光素子が配設された面で当該発光素子を封止するガラス製の封止部材とを備えている。つまり、本発明では、発光素子基板および封止部材がいずれもガラス製であるため、これらの支持態様が適切でないと撓んでしまう場合があった。これに対して、本発明では、発光素子基板の逆側から封止部材を支持する剛性部材が備えられている。したがって、発光素子基板および封止部材の撓みを剛性部材により矯正することができ、発光素子基板および封止部材の撓みが抑制されている。
【００１０】
ところで、本発明では、レンズアレイが発光素子基板の第２の面側に設けられており、発光素子からの光は発光素子基板（の第１の面から第２の面）を透過した後にレンズアレイのレンズに入射する。そして、このレンズアレイを支持するための支持部材が、発光素子基板（の第２の面）に配設されている。つまり、本発明では、発光素子基板および封止部材のうち、発光素子基板に支持部材が配設される一方、上述のとおり封止部材は剛性部材により支持されている。しかしながら、このような構成では、支持部材と剛性部材との位置関係が適切でないと、発光素子基板および封止部材の一部に応力が集中して、発光素子基板から封止部材が剥がれて、封止が破けてしまう場合が想定される。これに対して、本発明では、支持部材は、発光素子基板および封止部材を剛性部材とで挟むようにして配設されている。そのため、上述のような一部に集中する応力の発生を抑制して、封止の破れを抑制することが可能となっている。
【００１１】
また、封止部材は、発光素子基板に接着剤で取り付けられているように構成しても良い。このような構成は、上述のような応力を接着剤の変形によって吸収することができるため、上述の封止の破れをより確実に抑制することができる。
【００１２】
また、発光素子基板の幅は封止部材の幅よりも広く、発光素子基板の第１の面の端部は封止部材から突出しているように構成しても良い。このように構成することで、第１面の端部に種々の機能部材を配設することが可能となる。
【００１３】
そこで、発光素子基板の第１の面の端部に配設されたフレキシブルプリント基板と、発光素子基板と封止部材との間を抜けて、発光素子と前記フレキシブルプリント基板とを繋ぐ配線と、を備えるように構成しても良い。
【００１４】
また、剛性部材の基材と、支持部材の基材とが同じであるように構成しても良い。このように構成した場合、上述したような発光素子基板および封止部材に発生する応力の発生を、より確実に抑制させることができ、封止の破れをより確実に抑制することが可能となる。
【００１５】
また、発光素子は有機ＥＬ素子である構成に対しては、本発明を適用することが好適である。なぜなら、上述のとおり、有機ＥＬ素子は水分（湿気）により劣化するため、本発明によって封止の破れを抑制することが好適となるからである。
【図面の簡単な説明】
【００１６】
【図１】本発明を適用可能な画像形成装置の一例を示す図。
【図２】図１の画像形成装置が備える電気的構成を示すブロック図。
【図３】ラインヘッドの概略を示す部分斜視図。
【図４】厚さ方向からヘッド基板を平面視した部分平面図。
【図５】ラインヘッドのＡ−Ａ線における部分断面図。
【図６】ラインヘッドの部分側面図。
【図７】レンズアレイＬＡ1の支持態様を示す部分平面図。
【図８】レンズアレイＬＡ2の支持態様を示す部分平面図。
【図９】ヘッド基板周りの詳細を示す図。
【図１０】ラインヘッドの変形例を示す斜視図。
【図１１】ラインヘッドの変形例のＡ−Ａ線における部分断面図。
【発明を実施するための形態】
【００１７】
図１は本発明を適用可能な画像形成装置の一例を示す図である。また、図２は図１の画像形成装置が備える電気的構成を示すブロック図である。この装置は、ブラック（Ｋ）、シアン（Ｃ）、マゼンダ（Ｍ）、イエロー（Ｙ）の４色のトナーを重ね合わせてカラー画像を形成するカラーモードと、ブラック（Ｋ）のトナーのみを用いてモノクロ画像を形成するモノクロモードとを選択的に実行可能な画像形成装置である。なお図１は、カラーモード実行時に対応する図である。この画像形成装置では、ホストコンピューターなどの外部装置から画像形成指令がＣＰＵやメモリーなどを有するメインコントローラーＭＣに与えられると、このメインコントローラーＭＣはエンジンコントローラーＥＣに制御信号などを与えるとともに画像形成指令に対応するビデオデータＶＤをヘッドコントローラーＨＣに与える。このとき、メインコントローラーＭＣは、ヘッドコントローラーＨＣから水平リクエスト信号ＨＲＥＱを受け取る毎に、主走査方向ＭＤに１ライン分のビデオデータＶＤをヘッドコントローラーＨＣに与える。また、このヘッドコントローラーＨＣは、メインコントローラーＭＣからのビデオデータＶＤとエンジンコントローラーＥＣからの垂直同期信号Ｖsyncおよびパラメータ値とに基づき各色のラインヘッド２９を制御する。これによって、エンジン部ＥＮＧが所定の画像形成動作を実行し、複写紙、転写紙、用紙およびＯＨＰ用透明シートなどのシートに画像形成指令に対応する画像を形成する。
【００１８】
画像形成装置が有するハウジング本体３内には、電源回路基板、メインコントローラーＭＣ、エンジンコントローラーＥＣおよびヘッドコントローラーＨＣを内蔵する電装品ボックス５が設けられている。また、画像形成ユニット７、転写ベルトユニット８および給紙ユニット１１もハウジング本体３内に配設されている。また、図１においてハウジング本体３内右側には、２次転写ユニット１２、定着ユニット１３、シート案内部材１５が配設されている。なお、給紙ユニット１１は、装置本体１に対して着脱自在に構成されている。そして、該給紙ユニット１１および転写ベルトユニット８については、それぞれ取り外して修理または交換を行うことが可能な構成になっている。
【００１９】
画像形成ユニット７は、複数の異なる色の画像を形成する４個の画像形成ステーションＹ（イエロー用）、Ｍ（マゼンダ用）、Ｃ（シアン用）、Ｋ（ブラック用）を備えている。また、各画像形成ステーションＹ，Ｍ，Ｃ，Ｋは、主走査方向ＭＤに所定長さの表面を有する円筒形の感光体ドラム２１を設けている。そして、各画像形成ステーションＹ，Ｍ，Ｃ，Ｋそれぞれは、対応する色のトナー像を、感光体ドラム２１の表面に形成する。感光体ドラム２１は、軸方向が主走査方向ＭＤに平行もしくは略平行となるように配置されている。また、各感光体ドラム２１はそれぞれ専用の駆動モーターに接続され図中矢印Ｄ21の方向に所定速度で回転駆動される。これにより感光体ドラム２１の表面が、主走査方向ＭＤに直交もしくは略直交する副走査方向ＳＤに搬送されることとなる。また、感光体ドラム２１の周囲には、回転方向に沿って帯電部２３、ラインヘッド２９、現像部２５および感光体クリーナー２７が配設されている。そして、これらの機能部によって帯電動作、潜像形成動作及びトナー現像動作が実行される。したがって、カラーモード実行時は、全ての画像形成ステーションＹ，Ｍ，Ｃ，Ｋで形成されたトナー像を転写ベルトユニット８が有する転写ベルト８１に重ね合わせてカラー画像を形成するとともに、モノクロモード実行時は、画像形成ステーションＫで形成されたトナー像のみを用いてモノクロ画像を形成する。なお、図１において、画像形成ユニット７の各画像形成ステーションは構成が互いに同一のため、図示の便宜上一部の画像形成ステーションのみに符号をつけて、他の画像形成ステーションについては符号を省略する。
【００２０】
帯電部２３は、その表面が弾性ゴムで構成された帯電ローラーを備えている。この帯電ローラーは帯電位置で感光体ドラム２１の表面と当接して従動回転するように構成されており、感光体ドラム２１の回転動作に伴って感光体ドラム２１に対して従動方向に周速で従動回転する。また、この帯電ローラーは帯電バイアス発生部（図示省略）に接続されており、帯電バイアス発生部からの帯電バイアスの給電を受けて帯電部２３と感光体ドラム２１が当接する帯電位置で感光体ドラム２１の表面を帯電させる。
【００２１】
ラインヘッド２９は感光体ドラム２１に対して離間して配置されており、ラインヘッド２９の長手方向は主走査方向ＭＤに平行もしくは略平行であるとともに、ラインヘッド２９の幅方向は副走査方向ＳＤに平行もしくは略平行である。このラインヘッド２９は複数の発光素子を備えており、各発光素子はヘッドコントローラーＨＣからのビデオデータＶＤに応じて発光する。そして、帯電した感光体ドラム２１表面に発光素子からの光が照射されることで、感光体ドラム２１表面に静電潜像が形成される。
【００２２】
現像部２５は、その表面にトナーを担持する現像ローラー２５１を有する。そして、現像ローラー２５１と電気的に接続された現像バイアス発生部（図示省略）から現像ローラー２５１に印加される現像バイアスによって、現像ローラー２５１と感光体ドラム２１とが当接する現像位置において、帯電トナーが現像ローラー２５１から感光体ドラム２１に移動してラインヘッド２９により形成された静電潜像が顕在化される。
【００２３】
このように上記現像位置において顕在化されたトナー像は、感光体ドラム２１の回転方向Ｄ21に搬送された後、転写ベルト８１と各感光体ドラム２１が当接する１次転写位置ＴＲ1において転写ベルト８１に１次転写される。
【００２４】
また、この実施形態では、感光体ドラム２１の回転方向Ｄ21の１次転写位置ＴＲ1の下流側で且つ帯電部２３の上流側に、感光体ドラム２１の表面に当接して感光体クリーナー２７が設けられている。この感光体クリーナー２７は、感光体ドラムの表面に当接することで１次転写後に感光体ドラム２１の表面に残留するトナーをクリーニング除去する。
【００２５】
転写ベルトユニット８は、駆動ローラー８２と、図１において駆動ローラー８２の左側に配設される従動ローラー８３（ブレード対向ローラー）と、これらのローラーに張架され図示矢印Ｄ81の方向（搬送方向）へ循環駆動される転写ベルト８１とを備えている。また、転写ベルトユニット８は、転写ベルト８１の内側に、感光体カートリッジ装着時において各画像形成ステーションＹ，Ｍ，Ｃ，Ｋが有する感光体ドラム２１各々に対して一対一で対向配置される、４個の１次転写ローラー８５Ｙ，８５Ｍ，８５Ｃ，８５Ｋを備えている。これらの１次転写ローラー８５は、それぞれ１次転写バイアス発生部（図示省略）と電気的に接続される。そして、カラーモード実行時は、図１に示すように全ての１次転写ローラー８５Ｙ，８５Ｍ，８５Ｃ，８５Ｋを画像形成ステーションＹ，Ｍ，Ｃ，Ｋ側に位置決めすることで、転写ベルト８１を画像形成ステーションＹ，Ｍ，Ｃ，Ｋそれぞれが有する感光体ドラム２１に押し遣り当接させて、各感光体ドラム２１と転写ベルト８１との間に１次転写位置ＴＲ1を形成する。そして、適当なタイミングで上記１次転写バイアス発生部から１次転写ローラー８５に１次転写バイアスを印加することで、各感光体ドラム２１の表面上に形成されたトナー像を、それぞれに対応する１次転写位置ＴＲ1において転写ベルト８１表面に転写してカラー画像を形成する。
【００２６】
一方、モノクロモード実行時は、４個の１次転写ローラー８５のうち、カラー１次転写ローラー８５Ｙ，８５Ｍ，８５Ｃをそれぞれが対向する画像形成ステーションＹ，Ｍ，Ｃから離間させるとともにモノクロ１次転写ローラー８５Ｋのみを画像形成ステーションＫに当接させることで、モノクロ画像形成ステーションＫのみを転写ベルト８１に当接させる。その結果、モノクロ１次転写ローラー８５Ｋと画像形成ステーションＫとの間にのみ１次転写位置ＴＲ1が形成される。そして、適当なタイミングで前記１次転写バイアス発生部からモノクロ１次転写ローラー８５Ｋに１次転写バイアスを印加することで、各感光体ドラム２１の表面上に形成されたトナー像を、１次転写位置ＴＲ1において転写ベルト８１表面に転写してモノクロ画像を形成する。
【００２７】
さらに、転写ベルトユニット８は、モノクロ１次転写ローラー８５Ｋの下流側で且つ駆動ローラー８２の上流側に配設された下流ガイドローラー８６を備える。また、この下流ガイドローラー８６は、モノクロ１次転写ローラー８５Ｋが画像形成ステーションＫの感光体ドラム２１に当接して形成する１次転写位置ＴＲ1での１次転写ローラー８５Ｋと感光体ドラム２１との共通内接線上において、転写ベルト８１に当接するように構成されている。
【００２８】
駆動ローラー８２は、転写ベルト８１を図示矢印Ｄ81の方向に循環駆動するとともに、２次転写ローラー１２１のバックアップローラーを兼ねている。駆動ローラー８２の周面には、厚さ３mm程度、体積抵抗率が１０００ｋΩ・ｃｍ以下のゴム層が形成されており、金属製の軸を介して接地することにより、図示を省略する２次転写バイアス発生部から２次転写ローラー１２１を介して供給される２次転写バイアスの導電経路としている。このように駆動ローラー８２に高摩擦かつ衝撃吸収性を有するゴム層を設けることにより、駆動ローラー８２と２次転写ローラー１２１との当接部分（２次転写位置ＴＲ２）へのシートが進入する際の衝撃が転写ベルト８１に伝達しにくく、画質の劣化を防止することができる。
【００２９】
給紙ユニット１１は、シートを積層保持可能である給紙カセット７７と、給紙カセット７７からシートを一枚ずつ給紙するピックアップローラー７９とを有する給紙部を備えている。ピックアップローラー７９により給紙部から給紙されたシートは、レジストローラー対８０において給紙タイミングが調整された後、シート案内部材１５に沿って２次転写位置ＴＲ２に給紙される。
【００３０】
２次転写ローラー１２１は、転写ベルト８１に対して離当接自在に設けられ、２次転写ローラー駆動機構（図示省略）により離当接駆動される。定着ユニット１３は、ハロゲンヒータ等の発熱体を内蔵して回転自在な加熱ローラー１３１と、この加熱ローラー１３１を押圧付勢する加圧部１３２とを有している。そして、その表面に画像が２次転写されたシートは、シート案内部材１５により、加熱ローラー１３１と加圧部１３２の加圧ベルト１３２３とで形成するニップ部に案内され、該ニップ部において所定の温度で画像が熱定着される。加圧部１３２は、２つのローラー１３２１，１３２２と、これらに張架される加圧ベルト１３２３とで構成されている。そして、加圧ベルト１３２３の表面のうち、２つのローラー１３２１，１３２２により張られたベルト張面を加熱ローラー１３１の周面に押し付けることで、加熱ローラー１３１と加圧ベルト１３２３とで形成するニップ部が広くとれるように構成されている。また、こうして定着処理を受けたシートはハウジング本体３の上面部に設けられた排紙トレイ４に搬送される。
【００３１】
また、この装置では、ブレード対向ローラー８３に対向してクリーナー部７１が配設されている。クリーナー部７１は、クリーナーブレード７１１と廃トナーボックス７１３とを有する。クリーナーブレード７１１は、その先端部を転写ベルト８１を介してブレード対向ローラー８３に当接することで、２次転写後に転写ベルトに残留するトナーや紙粉等の異物を除去する。そして、このように除去された異物は、廃トナーボックス７１３に回収される。
【００３２】
図３は、ラインヘッドの概略を示す部分斜視図である。同図では、ラインヘッド２９の厚さ方向ＴＫＤの構成を理解しやすくするために、ラインヘッド２９の長手方向ＬＧＤの端部（図３の左下端部）が断面で示されている。ここで、厚さ方向ＴＫＤは、長手方向ＬＧＤおよび幅方向ＬＴＤに垂直もしくは略垂直な方向であり、後述する発光素子Ｅが光を射出する側（つまり、ラインヘッド２９から感光体ドラム２１に向う側）を向いた方向とする。また、以後の実施形態の説明において、厚さ方向ＴＫＤの下流側（図３の上側）を「（厚さ方向ＴＫＤの）一方側」と称し、厚さ方向ＴＫＤの上流側（図３の下側）を「（厚さ方向ＴＫＤの）他方側」と称する。また、基板あるいは平板の一方側の面を表面と称し、基板あるいは平板の他方側の面を裏面と称することとする。
【００３３】
ラインヘッド２９は、ヘッド基板２９と遮光部材２９７とをこの順番で厚さ方向ＴＫＤに配置するとともに、厚さ方向ＴＫＤの一方側からこれらの部材を覆い被さるようにして光学ユニットＯＵを配置した概略構成を備えている。また、ヘッド基板２９３の裏面２９３−t（図５）には、複数の発光素子Ｅをグループ化した発光素子グループＥＧが、離散的かつ２次元的に配置されており（図４）、さらに、封止部材２９４（図５）がこれらの発光素子グループＥＧを封止している。また、封止部材２９４（図５）の裏面は、鉄等の金属製の剛性部材２９９で支持されている。この剛性部材２９９は、長手方向ＬＧＤにおいて、封止部材２９４と同程度あるいは長い略直方体形状を有しており、その四隅は斜めにカットされている（図５）。ラインヘッド２９が備える光学ユニットＯＵは、厚さ方向ＴＫＤに並ぶ２枚のレンズアレイＬＡ1、ＬＡ2で構成され、これらレンズアレイＬＡ1、ＬＡ2それぞれのレンズＬＳ1、ＬＳ2（図５）が厚さ方向ＴＫＤに並んで１個の結像光学系として機能する。また、この光学ユニットＯＵは、レンズアレイＬＡ1、ＬＡ2を支持するためにスペーサーＳＰ1、ＳＰ2および支持ガラスＳＳを備えているが、これらについては後に詳述する。また、ラインヘッド２９が備えるこれらの構成（２９、２９７、ＯＵ）は、厚さ方向ＴＫＤが開口したカバー部材２９０により覆われている。このカバー部材２９０は、所定の位置（図示せず）で、剛性部材２９９に対してネジ止めされている。
【００３４】
こうしてラインヘッド２９では、ヘッド基板２９３、遮光部材２９７およびレンズアレイＬＡ1、ＬＡ2がこの順番で並んでいる。そして、ヘッド基板２９３の発光素子Ｅからの光が、遮光部材２９７の導光孔２９７１を通過した後に、レンズアレイＬＡ1、ＬＡ2のレンズＬＳ1、ＬＳ2（図５）を透過して、さらに、カバー部材２９０の開口部を介して、感光体ドラム２１表面に結像される。
【００３５】
図４は、厚さ方向ＴＫＤからヘッド基板２９３を平面視した部分平面図であり、厚さ方向ＴＫＤの一方側（図３の上側）からヘッド基板２９３の裏面２９３−tを透視した場合に相当する。図５は、ラインヘッドのＡ−Ａ線における部分断面図であり、該断面を長手方向ＬＧＤ（主走査方向ＭＤ）から見た場合に相当する。このＡ−Ａ線断面は、長手方向ＬＧＤに距離Ｄgを空けるとともに幅方向ＬＴＤに距離Ｄtを空けて、一列に並ぶ３個の発光素子グループＥＧ（あるいは、３枚のレンズＬＳ1等）の各幾何重心（あるいは、各レンズ中心）を通る。また、図４に示す方向Ｄlscは、Ａ−Ａ線に平行な方向である。さらに、図４では、ヘッド基板２９３に形成された発光素子グループＥＧ、レンズアレイＬＡ1に形成されたレンズＬＳ1およびレンズアレイＬＡ2に形成されたレンズＬＳ2の位置関係を示すために、レンズＬＳ1およびレンズＬＳ2がそれぞれ一点鎖線で併記されている。ちなみに、レンズＬＳ1およびレンズＬＳ2についての図中記載は、これらの位置関係を示すためのものであり、レンズＬＳ1およびレンズＬＳ2がヘッド基板裏面２９３−t（図５）に形成されていることを示すものではない。
【００３６】
ヘッド基板２９３は、長手方向ＬＧＤに長尺なガラス製のガラス基板（光透過性基板）であり、光を透過する。ヘッド基板裏面２９３−tでは、ボトムエミッション型の有機ＥＬ（Electro-Luminescence）素子である発光素子Ｅが複数形成されており、封止部材２９４が全発光素子Ｅを封止している（図３、図５）。この封止部材２９４は、長手方向ＬＧＤにおいてヘッド基板２９３よりやや短く、厚さ方向ＴＫＤ（の上流側）に開口した箱形状を有しており、ガラスで形成されている。そして、その開口部２９４１で全発光素子Ｅを覆うようにして封止部材２９４はヘッド基板裏面２９３−tに配置されるとともに、封止部材２９４の開口部２９４１の周縁部が接着剤によりヘッド基板裏面２９３−tに固定されている。
【００３７】
ヘッド基板裏面２９３−tに設けられた各発光素子Ｅは、互いに同一の発光スペクトルを有しており、光ビームを感光体ドラム２１表面へ向けて射出する。また、図４に示すように、ヘッド基板裏面２９３−tに形成された複数の発光素子Ｅの配置態様は、グループ構造を有している。つまり、１５個の発光素子Ｅが長手方向ＬＧＤに２行千鳥で配置されて１個の発光素子グループＥＧが構成されており、さらに複数の発光素子グループＥＧが長手方向ＬＧＤに３行千鳥で離散的に配置されている。
【００３８】
より詳しくは、この配置態様は次のように説明することができる。つまり、各発光素子グループＥＧ内では、１５個の発光素子Ｅが長手方向ＬＧＤの互いに異なる位置に配置されており、しかも長手方向ＬＧＤにおける位置が隣り合う２つの発光素子Ｅ、Ｅの長手方向ＬＧＤへの距離は素子間距離Ｐelとなっている（言い換えれば、各発光素子グループＥＧ内では、１５個の発光素子ＥがピッチＰelで長手方向ＬＧＤに配置されている）。そして、素子間距離Ｐelよりも長いグループ間距離Ｐegを空けて複数の発光素子グループＥＧが長手方向ＬＧＤに沿って離散的に並んで、１行の発光素子グループ行ＧＲa等が構成されている。さらに、３行の発光素子グループ行ＧＲa、ＧＲb、ＧＲcが距離Ｄtだけ空けて幅方向ＬＴＤの異なる位置に離散的に配置されており、しかも、発光素子グループ行ＧＲa、ＧＲb、ＧＲcのそれぞれは、長手方向ＬＧＤに距離Ｄgだけ相互にシフトされている。こうして、３個の発光素子グループＥＧが、長手方向ＬＧＤに距離Ｄgを空けるとともに幅方向ＬＴＤに距離Ｄtを空けて、方向Ｄlscに一列に並ぶ。
【００３９】
ここで、素子間距離Ｐelは、対象となる２個の発光素子Ｅの幾何重心間の長手方向ＬＧＤにおける距離として求めることができる。また、グループ間距離Ｐegは、対象となる２個の発光素子グループＥＧのうち、長手方向ＬＧＤの一方側の発光素子グループＥＧの他方側端部にある発光素子Ｅの幾何重心と、長手方向ＬＧＤの他方側の発光素子グループＥＧの一方側端部にある発光素子Ｅの幾何重心との長手方向ＬＧＤにおける距離として求めることができる。また、距離Ｄgは、長手方向ＬＧＤにおける位置が隣り合う２個の発光素子グループＥＧそれぞれの幾何重心間の長手方向ＬＧＤにおける距離として求めることができる。また、距離Ｄtは、幅方向ＬＴＤにおける位置が隣り合う２個の発光素子グループＥＧそれぞれの幾何重心間の幅方向ＬＴＤにおける距離として求めることができる。
【００４０】
このようにヘッド基板２９３の裏面２９３−tには、発光素子グループＥＧが配置されている。一方、ヘッド基板２９３の表面２９３−hには、遮光部材２９７が配置されている。遮光部材２９７には厚さ方向ＴＫＤに貫通する導光孔２９７１が複数形成されている。各導光孔２９７１は厚さ方向ＴＫＤからの平面視において円形状を有しており、その内壁には黒色メッキが施されている。この導光孔２９７１は、発光素子グループＥＧ毎に１個づつ形成されており、すなわち、１個の発光素子グループＥＧに対して１個の導光孔２９７１が開口している。こうして、遮光部材２９７は、導光孔２９７１を発光素子グループＥＧに開口させた状態でヘッド基板表面２９３−hに当接して固定されている。
【００４１】
このような遮光部材２９７を設ける目的は、いわゆる迷光がレンズＬＳ1、ＬＳ2に入射するのを抑制するためである。つまり、各発光素子グループＥＧには、レンズ対ＬＳ1、ＬＳ2の対からなる結像光学系がそれぞれ専用に設けられている。このような構成では、光ビームは、それ自身の射出源である発光素子グループＥＧに設けられた結像光学系ＬＳ1、ＬＳ2にのみ入射して結像されることが望ましい。しかしながら、光ビームの一部には、その射出源である発光素子グループＥＧに設けられた結像光学系ＬＳ1、ＬＳ2に向わずに迷光となってしまうものもある。そして、このような迷光が、それ自身の射出源でない発光素子グループＥＧに設けられた結像光学系ＬＳ1、ＬＳ2に入射してしまうと、いわゆるゴーストが発生してしまうおそれがある。これに対して、この実施形態では、発光素子グループＥＧと結像光学系ＬＳ1、ＬＳ2との間に遮光部材２９７が設けられている。この遮光部材２９７には、内壁に黒色メッキが施された導光孔２９７１が発光素子グループＥＧに開口して設けられているため、迷光の多くは導光孔２９７１の内壁で吸収されることとなる。その結果、先ほどのゴーストを抑制して、良好な露光動作の実現が図られる。
【００４２】
そして、上述のとおり、これらヘッド基板２９３および遮光部材２９７に厚さ方向ＴＫＤの一方側から覆い被さるように光学ユニットＯＵが配設されている。この光学ユニットＯＵは、遮光部材２９７の厚さ方向ＴＫＤの一方側でレンズアレイＬＡ1を支持し、さらに、このレンズアレイＬＡ1の厚さ方向ＴＫＤの一方側でレンズアレイＬＡ2を支持する。そして、このようにレンズアレイＬＡ1、ＬＡ2を支持するための積層構造を、光学ユニットＯＵは備えている。この光学ユニットＯＵの積層構造について、図３〜図５に加えて図６、図７、図８を用いて説明する。
【００４３】
図６は、ラインヘッドの部分側面図であり、幅方向ＬＴＤからラインヘッド２９を平面視した場合に相当する。図７は、レンズアレイＬＡ1の支持態様を示す部分平面図であり、厚さ方向ＴＫＤから平面視した場合に相当する。図８は、レンズアレイＬＡ2の支持態様を示す部分平面図であり、厚さ方向ＴＫＤから平面視した場合に相当する。
【００４４】
光学ユニットＯＵでは、互いに同一の形状・大きさを有する複数のスペーサーＳＰ1が長手方向ＬＧＤに間隔ＣＬ1を空けて一列に並んでいる。また、このスペーサーＳＰ1の列は、幅方向ＬＴＤの両側に設けられている（図３、図５、図７）。こうして、厚さ方向ＴＫＤからの平面視において、スペーサーＳＰ1の列が、複数のレンズＬＳ1（が配列されている領域）を幅方向ＬＴＤから挟んで２列配置されることとなる（換言すれば、遮光部材２９７を幅方向ＬＴＤから挟んで２列配置されることとなる）。このように、レンズＬＳ1から幅方向ＬＴＤに外れてスペーサーＳＰ1を配設することで、レンズＬＳ1に入射する光ビームとスペーサーＳＰ1との干渉が防止されて、光学ユニットＯＵは所望の光学特性を確実に発揮できる。なお、光学ユニットＯＵが備えるこれらのスペーサーＳＰ1は、剛性部材２９９と同じ基材（鉄等の金属）で構成されており、ヘッド基板２９３の表面２９３−hに接着剤等により固定されている。
【００４５】
このようにして、２列に配置された第１スペーサＳＰ1に対して、レンズアレイＬＡ1が幅方向ＬＴＤに架設されており、これにより、レンズアレイＬＡ1が遮光部材２９７の厚さ方向ＴＫＤの一方側で位置決めされる。このレンズアレイＬＡ1は、長手方向ＬＧＤの両端が斜めに（方向Ｄlscと平行に）カットされた菱形形状のガラス基板ＳＢを有している。このガラス基板ＳＢの幅方向ＬＴＤの端辺は、長手方向ＬＧＤに長さＬla1を有している（図７）。そして、このガラス基板ＳＢの裏面には、光硬化性樹脂で形成された複数のレンズＬＳ1がアレイ配置されている。これら複数のレンズＬＳ1は、対向する発光素子グループＥＧの配置に対応して３行千鳥で配置されている（図４）。
【００４６】
そして、図３、図６、図７に示すように、複数のレンズアレイＬＡ1が長手方向ＬＧＤに並んで配設されている。つまり、この実施形態では、長手方向ＬＧＤに並ぶ複数のレンズアレイＬＡ1をスペーサーＳＰ1が支持して、１つの長尺レンズアレイＬ−ＬＡ1が構成されている。ちなみに、直方形状を有するスペーサーＳＰ1の長さＬsp1は、レンズアレイＬＡ1の幅方向ＬＴＤの端辺の長手方向ＬＧＤの長さＬla1より短く、１枚のレンズアレイＬＡ1は、長手方向ＬＧＤに並ぶ複数のスペーサーＳＰ1で支持される。具体的には、これらスペーサーＳＰ1のうち、中央スペーサーＳＰ1−bはレンズアレイＬＡ1の長手方向ＬＧＤの略中央を支持し、端部スペーサーＳＰ1−aは長手方向ＬＧＤに隣り合う２枚のレンズアレイＬＡ1、ＬＡ1の隙間ＢＤ1を跨いで、該レンズアレイＬＡ1、ＬＡ1を支持する。なお、スペーサーＳＰ1とレンズアレイＬＡ1とは接着剤等により固定されている。
【００４７】
また、長尺レンズアレイＬ−ＬＡ1を構成するこれら複数のレンズアレイＬＡ1のそれぞれに対しては、レンズアレイＬＡ2が厚さ方向ＴＫＤの一方側から対向して配設されている。こうして、長手方向ＬＧＤに並ぶ複数のレンズアレイＬＡ2から長尺レンズアレイＬ−ＬＡ2が構成される。各レンズアレイＬＡ2は、長手方向ＬＧＤの両端が斜めに（方向Ｄlscと平行に）カットされた菱形形状のガラス基板ＳＢを有している。このガラス基板ＳＢの幅方向ＬＴＤの端辺の長さＬla2は、レンズアレイＬＡ1の端辺の長さＬla1と等しい。そして、このガラス基板ＳＢの裏面には、光硬化性樹脂で形成された複数のレンズＬＳ1がアレイは位置されている。これら複数のレンズＬＳ2は、対向する発光素子グループＥＧの配置に対応して３行千鳥で配置されている（図４）。
【００４８】
レンズアレイＬＡ1の複数のレンズＬＳ1とレンズアレイＬＡ2の複数のレンズＬＳ2とは一対一の対応関係で対向しており、互いに対向するレンズＬＳ1とレンズＬＳ2とは厚さ方向ＴＫＤからの平面視において重なり合うように、互いに対向するレンズアレイＬＡ1、ＬＡ2は位置調整がされている。そして、レンズアレイＬＡ1とレンズアレイＬＡ2との間隔を規定するために、レンズアレイＬＡ1とレンズアレイＬＡ2との間にはスペーサーＳＰ2が配設されており、このスペーサーＳＰ2がレンズアレイＬＡ1とレンズアレイＬＡ2とを支持する。
【００４９】
つまり、長尺レンズアレイＬ−ＬＡ1の一方面（レンズＬＳ1が形成されていない面）には、互いに同一形状・大きさを有する複数のスペーサーＳＰ2が長手方向ＬＧＤに間隔ＣＬ2を空けて一列に並んでいる。また、このスペーサーＳＰ2の列は、幅方向ＬＴＤの両側に設けられている（図３、図５、図８）。こうして、厚さ方向ＴＫＤからの平面視において、スペーサーＳＰ2の列が、複数のレンズＬＳ1および複数のレンズＬＳ2（が配列されている領域）を幅方向ＬＴＤから挟んで２列配置されることとなる。このように、レンズＬＳ1、ＬＳ2から幅方向ＬＴＤに外れてスペーサーＳＰ2を配設することで、レンズＬＳ1からレンズＬＳ2に向かう光ビームとスペーサーＳＰ2との干渉が防止されて、光学ユニットＯＵは所望の光学特性を確実に発揮できる。
【００５０】
詳細には、スペーサーＳＰ2とレンズアレイＬＡ1、ＬＡ2は次のような配置関係を有する。直方形状を有するスペーサーＳＰ2の長さＬsp2は、レンズアレイＬＡ1の幅方向ＬＴＤの端辺の長手方向ＬＧＤの長さＬla1より短く、１枚のレンズアレイＬＡ1には、長手方向ＬＧＤに並ぶ複数のスペーサーＳＰ2が配設されている。具体的には、これらスペーサーＳＰ2のうち、中央スペーサーＳＰ2−bはレンズアレイＬＡ1の長手方向ＬＧＤの略中央に配設され、端部スペーサーＳＰ2−aは長手方向ＬＧＤに隣り合う２枚のレンズアレイＬＡ1、ＬＡ1の隙間ＢＤ1を跨いで、該レンズアレイＬＡ1、ＬＡ1に配設される。なお、スペーサーＳＰ2とレンズアレイＬＡ1とは接着剤等により固定されている。
【００５１】
また、スペーサーＳＰ2の長さＬsp2は、レンズアレイＬＡ2の幅方向ＬＴＤの端辺の長手方向ＬＧＤの長さＬla2より短く、１枚のレンズアレイＬＡ2は、長手方向ＬＧＤに並ぶ複数のスペーサーＳＰ2により支持されている。具体的には、これらスペーサーＳＰ2のうち、中央スペーサーＳＰ2−bはレンズアレイＬＡ2の長手方向ＬＧＤの略中央を支持し、端部スペーサーＳＰ2−aは長手方向ＬＧＤに隣り合う２枚のレンズアレイＬＡ2、ＬＡ2の隙間ＢＤ2を跨いで、該レンズアレイＬＡ2、ＬＡ2を支持する。なお、スペーサーＳＰ2とレンズアレイＬＡ2とは接着剤等により固定されている。
【００５２】
このように、端部スペーサーＳＰ−aは、レンズアレイＬＡ1、ＬＡ2との間に配設されている。しかも、長手方向ＬＧＤに隣接するレンズアレイＬＡ2、ＬＡ2の両方向を１つの端部スペーサーＳＰ−aの一方面で支持し、また、長手方向ＬＧＤに隣接するレンズアレイＬＡ1、ＬＡ1の両方向を１つの端部スペーサーＳＰ−aの他方面で支持している。つまり、長手方向ＬＧＤに隣接するレンズアレイＬＡ2、ＬＡ2は互いに同じ面で支持され、また、長手方向ＬＧＤに隣接するレンズアレイＬＡ1、ＬＡ1は互いに同じ面で支持される。言い換えれば、端部スペーサーＳＰ−aは、長手方向ＬＧＤに隣接する２枚のレンズアレイＬＡ1、ＬＡ1と、長手方向ＬＧＤに隣接する２枚のレンズアレイＬＡ2、ＬＡ2との間で、隙間ＢＤ1、ＢＤ2を跨いで配設され、これら４枚のレンズアレイＬＡ1、ＬＡ1、ＬＡ2、ＬＡ2を支持している。
【００５３】
さらに、この実施形態では、長手方向ＬＧＤに長尺な支持ガラスＳＳが設けられている。詳述すると、長手方向ＬＧＤにおいて、この支持ガラスＳＳはレンズアレイＬＡ2よりも長く形成されて、長尺レンズアレイＬ−ＬＡ2と略同じ長さを備えている。そして、この支持ガラスＳＳが長尺レンズアレイＬ−ＬＡ2の一方面に取り付けられており、言わば、支持ガラスＳＳが複数のレンズアレイＬＡ2をスペーサーＳＰ2の逆側から支持している。そして、この支持ガラスＳＳの表面ＳＳ−h（一方平面）が、感光体ドラム２１にクリアランスを空けて対向する。
【００５４】
このように、光学ユニットＯＵは上述してきた積層構造を備えており、レンズアレイＬＡ1のレンズＬＳ1とレンズアレイＬＡ2のレンズＬＳ2とは厚さ方向ＴＫＤに並んで、１つの結像光学系を構成する。この結像光学系は、反転した縮小像を形成するものであり、その倍率は負であるとともに１未満の絶対値を有している。したがって、発光素子Ｅから射出された光ビームは、レンズＬＳ1、ＬＳ2を透過した後に支持ガラスＳＳの表面ＳＳ−hから射出されてスポットとして感光体ドラム２１表面に収束される。そして、特開２００８−０３６９３７号公報の図１１等に記載のように、感光体ドラム２１表面の副走査方向ＳＤへの移動に応じて各発光素子Ｅの発光を制御することで、主走査方向ＭＤに伸びるライン潜像を形成することができる。
【００５５】
続いて、図９を用いてヘッド基板周りの構成の詳細について説明する。ここで、図９は、ヘッド基板周りの詳細を示す図であり、長手方向ＬＧＤからみた場合に相当する。上述したとおり、ヘッド基板２９３の裏面２９３−tには、発光素子Ｅ（ＥＧ）を封止するガラス製の封止部材２９４が設けられている。この封止部材２９４はその開口部２９４１で全発光素子Ｅを覆うように配置されており、当該開口部２９４１の周縁部２９４２が接着剤によりヘッド基板裏面２９３−tに固定されている。
【００５６】
また、幅方向ＬＴＤにおいて、ヘッド基板２９３の幅Ｗ293は、封止部材２９４の幅Ｗ294よりも広く、ヘッド基板２９３の幅方向ＬＴＤの両端部２９３１、２９３１は、封止部材２９４よりも突出している。そして、ヘッド基板裏面２９３−tの両端部２９３１には、フレキシブルプリント基板ＦＰＣが取り付けられている（図５）。そして、このフレキシブルプリント基板ＦＰＣは、剛性部材２９９とカバー部材２９０との隙間を抜けて、その一端がカバー部材２９０の外部へと引き出されている（図５）。また、封止部材２９４により封止されている各発光素子Ｅには配線（図示せず）の一端が接続されており、しかも、この配線の他端は、ヘッド基板裏面２９３−tと封止部材２９４の開口部周縁部２９４２との間を抜けて、ヘッド基板２９３−tの両端部２９３１にまで延設されている。そして、こうして延設された配線の他端とフレキシブルプリント基板ＦＰＣとが接続されている。このように、各発光素子Ｅとフレキシブルプリント基板ＦＰＣとが配線により繋がっているため、ヘッドコントローラーＨＣは、フレキシブルプリント基板ＦＰＣを介して信号を発光素子Ｅに供給することができる。
【００５７】
封止部材２９４の裏面２９４−t（ヘッド基板２９３の逆側の平面）は所定の平面度を有するように仕上げられており、さらに、剛性部材２９９により支持されている。また、封止部材裏面２９４−tに当接するこの剛性部材２９９の当接面２９９−hも、上記所定の平面度と同程度の平面度を有するように仕上げられている。そして、ラインヘッド２９の組立時においては、封止部材２９４の裏面２９４−tに剛性部材２９９の当接面２９９−hを押し当てることで、封止部材２９４およびこれに接着されたヘッド基板２９３の平面性を出している。また、剛性部材２９９の当接面２９９−hは、接着剤により封止部材２９４に接着固定されている。
【００５８】
また、上述のとおり、ヘッド基板２９３の表面２９３−h（裏面２９３−tの逆側の平面）には、スペーサーＳＰ1が配設されている。このスペーサーＳＰ1は、幅方向ＬＴＤにおいて（換言すれば、厚さ方向ＴＫＤから見て）、封止部材２９４の開口部２９４１の外側両端それぞれに配置されている。また、ヘッド基板表面２９３−hに当接する各スペーサーＳＰ１の当接面ＳＰ1−tは、接着剤によりヘッド基板表面２９３−hに接着固定されている。そして、このスペーサーＳＰ1が、レンズアレイＬＡ1をヘッド基板２９３の表面２９３−t側に支持することで、レンズアレイＬＡ1のレンズＬＳ1が発光素子Ｅ（ＥＧ）に対向する。そして、発光素子Ｅ（ＥＧ）からの光が、ヘッド基板２９３を透過した後にレンズＬＳ1に入射する。
【００５９】
そして、本実施形態では、剛性部材２９９とスペーサーＳＰ1との配置関係が次のようになっている。つまり、幅方向ＬＴＤにおいて（換言すれば、厚さ方向ＴＫＤから見て）、剛性部材２９９（の当接面２９９−h）と、スペーサーＳＰ1（の当接面ＳＰ1−t）とが重複領域ＯＬで重複（オーバーラップ）している。言い換えれば、スペーサーＳＰ1と剛性部材２９９とは、ヘッド基板２９３および封止部材２９４を重複領域ＯＬで挟んでいる。
【００６０】
以上のように、この実施形態では、発光素子Ｅが配設されたガラス製のヘッド基板２９３と、ヘッド基板２９３の発光素子Ｅが配設された面で当該発光素子を封止するガラス製の封止部材２９４とを備えている。このように、ヘッド基板２９３および封止部材２９４をガラスで構成した場合、これらの支持態様が適切でないと撓んでしまう場合があった。これに対して、この実施形態では、ヘッド基板２９３の逆側から封止部材２９４を支持する剛性部材２９９が備えられている。したがって、ヘッド基板２９３および封止部材２９４の撓みを剛性部材２９９により矯正することができ、ヘッド基板２９３および封止部材２９４の撓みが抑制されている。
【００６１】
ところで、この実施形態では、レンズアレイＬＡ1がヘッド基板２９３の表面２９３−h側に設けられており、発光素子Ｅからの光はヘッド基板２９３（の裏面２９３−tから表面２９３-h）を透過した後にレンズアレイＬＡ1のレンズＬＳ1に入射する。そして、このレンズアレイＬＡ1を支持するためのスペーサーＳＰ1が、ヘッド基板２９３（の表面２９３−h）に配設されている。つまり、この実施形態では、ヘッド基板２９３および封止部材２９４のうち、ヘッド基板２９３にスペーサーＳＰ1が配設される一方、上述のとおり封止部材２９４は剛性部材２９９により支持されている。しかしながら、このような構成では、スペーサーＳＰ1と剛性部材２９９との位置関係が適切でないと（例えば、幅方向ＬＴＤにおいて、各スペーサーＳＰ1が剛性部材２９９の両外側に完全に外れた位置に配置されたような場合）、ヘッド基板２９３と封止部材２９４との接着部に応力が集中して、ヘッド基板２９３から封止部材２９４が剥がれて、封止が破けてしまう場合が想定される。これに対して、この実施形態では、スペーサーＳＰ1は、ヘッド基板２９３および封止部材２９４を剛性部材２９９とで挟むようにして配設されている。そのため、上述のようなヘッド基板２９３と封止部材２９４との接着部に集中する応力の発生を抑制して、封止の破れを抑制することが可能となっている。
【００６２】
また、上記実施形態では、封止部材２９４は、ヘッド基板２９３に接着剤で取り付けられている。したがって、上述のような応力を接着剤の変形によって吸収することができるため、上述の封止の破れをより確実に抑制することが可能となっている。
【００６３】
また、上記実施形態では、ヘッド基板２９３の幅は封止部材２９４の幅よりも広く、ヘッド基板２９３の裏面２９３−tの端部２９３１、２９３１は封止部材２９４から突出している。したがって、ヘッド基板裏面２９３−tの端部に種々の機能部材を配設することが可能となっている。そこで、上記実施形態では、ヘッド基板裏面２９３−tの端部２９３１、２９３１にフレキシブルプリント基板ＦＰＣを配設している。
【００６４】
また、上記実施形態では、剛性部材２９９の基材とスペーサーＳＰ1の基材とが同じであるように構成しても良い。このように構成した場合、上述したようなヘッド基板２９３および封止部材２９４に発生する応力の発生を、より確実に抑制させることができ、封止の破れをより確実に抑制することが可能となる。
【００６５】
また、上記実施形態のように発光素子Ｅが有機ＥＬ素子である構成に対しては、本発明を適用することが好適である。なぜなら、有機ＥＬ素子は水分（湿気）により劣化するため、本発明によって封止の破れを抑制することが好適となるからである。
【００６６】
その他
以上のように、上記実施形態では、ラインヘッド２９が本発明の「露光ヘッド」に相当し、ヘッド基板２９３が本発明の「発光素子基板」に相当し、ヘッド基板裏面２９３−tが本発明の「第１の面」に相当し、ヘッド基板表面２９３−hが本発明の「第２の面」に相当し、スペーサーＳＰ1が本発明の「支持部材」に相当している。また、感光体ドラム２１が本発明の「潜像担時体」に相当している。
【００６７】
なお、本発明は上記実施形態に限定されるものではなく、その趣旨を逸脱しない限りにおいて上述したものに対して種々の変更を加えることが可能である。例えば、図１０、図１１に示すようにラインヘッド２９を構成することもできる。以下に図１０、図１１の構成について説明するが、図１０、図１１の構成と上記実施形態との差異点は、主としてレンズアレイＬＡ1、ＬＡ2の支持態様のみであるので、以下ではこの差異点を中心に説明する一方で、共通部分については相当符号を付して説明を省略する。
【００６８】
図１０は、ラインヘッドの変形例を示す斜視図であり、図１１は、ラインヘッドの変形例のＡ−Ａ線における部分断面図であり、該断面を長手方向ＬＧＤ（主走査方向ＭＤ）から見た場合に相当する。このラインヘッド２９では、厚さ方向ＴＫＤの上流側および下流側の両方に開口したフレーム２９０１がヘッド基板２９３の表面２９３−hに配設されている。このフレーム２９０１の幅方向ＬＴＤ両端における周縁は、二段の階段形状に仕上げられており、両周縁部の一段目にレンズアレイＬＡ1が架設されるとともに、両周縁部の二段目にレンズアレイＬＡ2が架設されている。
【００６９】
そして、この実施形態においても、ヘッド基板２９３の逆側から封止部材２９４を支持する剛性部材２９９が備えられている。したがって、ヘッド基板２９３および封止部材２９４の撓みを剛性部材２９９により矯正することができ、ヘッド基板２９３および封止部材２９４の撓みが抑制されている。
【００７０】
また、この実施形態では、ヘッド基板２９３および封止部材２９４のうち、ヘッド基板２９３にフレーム２９０１が配設される一方、封止部材２９４は剛性部材２９９により支持されている。しかしながら、このような構成では、フレーム２９０１と剛性部材２９９との位置関係が適切でないと、ヘッド基板２９３と封止部材２９４との接着部に応力が集中して、ヘッド基板２９３から封止部材２９４が剥がれて、封止が破けてしまう場合が想定される。これに対して、この実施形態では、ヘッド基板２９３および封止部材２９４をフレーム２９０１と剛性部材２９９とが重複領域ＯＬで挟むように、ラインヘッド２９が構成されている。そのため、上述のようなヘッド基板２９３と封止部材２９４との接着部に集中する応力の発生を抑制して、封止の破れを抑制することが可能となっている。
【００７１】
また、上記実施形態では、ヘッド基板２９３の幅Ｗ293は、封止部材２９４の幅Ｗ294よりも広く構成されているが、ヘッド基板２９３および封止部材２９４の幅関係はこれに限られない。
【００７２】
また、上記実施形態では、剛性部材２９９とスペーサーＳＰ1とが同じ基材で形成されているが、これら剛性部材２９９とスペーサーＳＰ1とは互いに異なる基材で形成されても良い。
【００７３】
また、上記実施形態では、２枚の長尺レンズアレイＬ−ＬＡ1、Ｌ−ＬＡ2を厚さ方向ＴＫＤに並べているが、厚さ方向ＴＫＤに並ぶ長尺レンズアレイの枚数はこれに限られず、３枚以上であっても良い。
【００７４】
また、上記実施形態では、複数のレンズアレイＬＡ1は、同一の形状および大きさを備えていたが、これらについても種々の変更が可能である。さらに、複数のレンズアレイＬＡ2についても同様の変更が可能である。
【００７５】
また、上記実施形態では、複数のスペーサーＳＰ1は、同一の形状および大きさを備えていたが、これらについても種々の変更が可能である。さらに、複数のスペーサーＳＰ2についても同様の変更が可能である。
【００７６】
また、上記実施形態の結像光学系は、反転した縮小像を形成するものであり、その倍率は負であるとともに１未満の絶対値を有していたが、結像光学系の倍率はこれに限られず、正であっても良く、１以上の絶対値を有していても良い。
【００７７】
また、上記実施形態では、レンズアレイＬＡ1の裏面（厚さ方向ＴＫＤの他方面）にレンズＬＳ1が形成されていたが、レンズＬＳ1の形成位置はこれに限られない。レンズアレイＬＡ2についても同様である。
【００７８】
また、上記実施形態では、各レンズアレイＬＡ1、ＬＡ2において３行千鳥でレンズが並んでいたが、レンズの配置態様はこれに限られない。
【００７９】
また、上記実施形態では、レンズアレイＬＡ1、ＬＡ2は、ガラス製の光透過性基板ＳＢに樹脂製のレンズＬＳ1、ＬＳ2を形成したものであった。しかしながら、レンズアレイＬＡ1、ＬＡ2を１つの材料で一体的に構成することもできる。
【００８０】
また、上記実施形態では、複数の発光素子グループＥＧは３行千鳥で配置されていたが、複数の発光素子グループＥＧの配置態様はこれに限られない。
【００８１】
また、上記実施形態では、１５個の発光素子Ｅから発光素子グループＥＧが構成されている。しかしながら、発光素子グループＥＧを構成する発光素子Ｅの個数はこれに限られない。
【００８２】
また、上記実施形態では、発光素子グループＥＧ内において、複数の発光素子Ｅが２行千鳥で配置されていたが、発光素子グループＥＧ内での複数の発光素子Ｅの配置態様はこれに限られない。
【符号の説明】
【００８３】
２１…感光体ドラム（像担持体）、  ２９…ラインヘッド、  ＯＵ…光学ユニット、  ２９３…ヘッド基板、  Ｅ…発光素子、  ＥＧ…発光素子グループ、  ２９４…封止部材、  ２９９…剛性部材、  ＳＰ1…スペーサー、  ＬＡ1、ＬＡ2…レンズアレイ、  ＦＰＣ…フレキシブルプリント基板、  ＬＧＤ…長手方向、  ＬＴＤ…幅方向、  ＴＫＤ…厚さ方向
【図１】
2011037236.tif 000003
【図２】
2011037236.tif 000004
【図３】
2011037236.tif 000005
【図４】
2011037236.tif 000006
【図５】
2011037236.tif 000007
【図６】
2011037236.tif 000008
【図７】
2011037236.tif 000009
【図８】
2011037236.tif 000010
【図９】
2011037236.tif 000011
【図１０】
2011037236.tif 000012
【図１１】
2011037236.tif 000013